(57)【要約】        【課題】  この発明は、小物入れ等のリッドの開閉装置に関し、特に１本のスプリングのばね力を利用して、リッドを開方向と閉方向との両方向に開閉することができるようにしたものである。        【解決手段】  リッドの開閉装置は、ベース３０と、リッド２０と、１本のスプリング７０とを備える。スプリング７０は、ベース３０とリッド２０との間に掛け設けられ、リッド２０が閉じた閉位置を行き過ぎた押込位置まで押し込まれることで引っ張られ、そのばね復元力により、リッド２０を開放する方向に付勢するとともに、ばね復元力により開放されたリッド２０が所定の角度閉じられることで再度、引っ張られ、そのばね復元力により、リッド２０を閉じる方向に付勢するためのものである。    【選択図】    図１
2005178593.tif 000002
【特許請求の範囲】
【請求項１】
開口部を有するベースと、
前記ベースに回転軸を中心に回転可能に支持され、前記開口部を開閉するリッドと、
前記ベースと前記リッドとの間に掛け設けられ、前記リッドが閉じた閉位置を行き過ぎた押込位置まで押し込まれることで引っ張られ、そのばね復元力により、前記リッドを開放する方向に付勢し、前記ばね復元力により開放された前記リッドが所定の角度閉じられることで再度、引っ張られ、そのばね復元力により、前記リッドを閉じる方向に付勢するための１本のスプリングとを備えることを特徴とするリッドの開閉装置。
【請求項２】
請求項１に記載のリッドの開閉装置において、
前記ベースと前記リッドとの間には、
支持軸により一端部がベースに回転可能に支持される第１リンクアームと、
一端部が前記第１リンクアームにスライド可能に支持され、他端部にピンを有し、前記第１リンクアームとの間に掛け設けられた前記スプリングのばね復元力により、前記第１リンクアームに接近する方向に付勢される第２リンクアームと、
前記ベースに支持され、前記リッドが前記押込位置まで押し込まれることで、前記第２リンクアームを前記第１リンクアームから離れる方向に移動させ、これにより前記スプリングを引っ張るためのプッシュアームと、
前記リッドに設けられ、前記ピンを移動可能にガイドするとともに、前記リッドが開放位置から所定の角度閉じられることで、前記ピンを前記第１リンクアームから離れる方向に移動させ、これにより前記スプリングを引っ張るためのガイド溝と
を備えていることを特徴とするリッドの開閉装置。
【請求項３】
請求項１又は請求項２に記載のリッドの開閉装置において、
前記所定の角度は、
４５度に設定されていることを特徴とするリッドの開閉装置。
【請求項４】
請求項１〜３のいずれか１項に記載のリッドの開閉装置において、
前記ガイド溝は、
前記リッドの前記回転軸と、前記第１リンクアームの前記支持軸とを結ぶ線の延長線を境に前記ピンの移動を許容し、
前記ピンは、
前記延長線を境に、前記リッドの自由端部から離れる奥側に移動することで、前記リッドを開放するとともに、
前記延長線を境に、前記リッドの自由端部に接近する手前側に移動することで、前記リッドを閉じるようにしていることを特徴とするリッドの開閉装置。
【請求項５】
請求項１〜４のいずれか１項に記載のリッドの開閉装置において、
前記ガイド溝は、
前記リッドが閉じた位置で、前記第１リンクアームの前記支持軸から離れる方向に延び、前記支持軸に近い始端部と、前記支持軸から遠く離れるとともに、折れ曲がったロック部とを備え、
前記プッシュアームは、
前記第２リンクアームを前記第１リンクアームから離れる方向に移動させることで、前記ピンを前記始端部から前記ロック部に向かって移動するようにしていることを特徴とするリッドの開閉装置。
【請求項６】
請求項１〜５のいずれか１項に記載のリッドの開閉装置において、
前記ベースには、
前記リッドが開放する途中で前記ピンに係合し、前記ピンを前記ロック部から前記始端部に向かって移動するためのストッパーを設けていることを特徴とするリッドの開閉装置。
【請求項７】
請求項１〜６のいずれか１項に記載のリッドの開閉装置において、
前記プッシュアームは、
その長さの途中に位置し、前記ベースに回転可能に支持される軸止部と、
前記軸止部を挟んだ一端部に位置し、前記リッドに向かって突出し、前記リッドの自由端部により押し下げられる押圧部と、
前記軸止部を挟んだ他端部に位置し、前記第１リンクアームから離れる方向に前記第２リンクアームを押し上げるための押上部とを備え、
前記プッシュアームと前記ベースとの間には、
前記リッドの自由端部により前記押圧部が押し下げられることで、前記軸止部を中心に回転した前記プッシュアームを復帰させるための復帰ばねを設けていることを特徴とするリッドの開閉装置。
【請求項８】
請求項１〜７のいずれか１項に記載のリッドの開閉装置において、
前記ベースと前記リッドとの間には、
前記リッドに作用する回転力を減衰するためのダンパー装置を設けていることを特徴とするリッドの開閉装置。
【発明の詳細な説明】
【技術分野】
【０００１】
この発明は、小物入れ等のリッドの開閉装置に関し、特に１本のスプリングのばね力を利用して、リッドを開方向と閉方向との両方向に開閉することができるようにしたものである。
【背景技術】
【０００２】
従来、この種のリッドの開閉装置としては、リッドをスプリングにより、閉位置から開位置に付勢するものが知られている（特許文献１参照）。
【特許文献１】特開２００３−２０５９号公報（段落番号「０００８」）
【発明の開示】
【発明が解決しようとする課題】
【０００３】
しかし、上記した従来のリッドの開閉装置では、リッドを閉じる際に、手でリッドを閉じなければならず、面倒であるばかりでなく、スプリングのばね力に抗してリッドを閉じなければならないという問題点があった。
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、１本のスプリングのばね力を利用して、リッドを開方向と閉方向との両方向に開閉することができるようにしたものである。
【０００４】
このため、請求項１に記載の発明によれば、スプリングが１本で済むので、部品点数が少なくて済むという利点がある。
また、請求項１に記載の発明によれば、リッドを閉方向にスプリングにより付勢しているので、リッドを確実に閉じることができる。
さらに、請求項１に記載の発明によれば、リッドを閉方向にスプリングにより付勢しているので、リッドが閉位置から不用意に開くのを防止することができる。
【０００５】
このため、請求項１に記載の発明によれば、リッドを閉位置にロックするためのロック機構を省略することもできる。
（請求項２）
請求項２に記載の発明は、上記した請求項１に記載の発明の目的に加え、次の点を目的とする。
【０００６】
すなわち、請求項２に記載の発明は、比較的簡単な構造で、リッドを開方向と閉方向の両方向に開閉することができるようにしたものである。
（請求項３）
請求項３に記載の発明は、上記した請求項１又は請求項２に記載の発明の目的に加え、次の点を目的とする。
【０００７】
すなわち、請求項３に記載の発明は、リッドを閉位置から４５度、閉じることで、リッドをスプリングのばね力を利用して閉じることができるようにしたものである。
（請求項４）
請求項４に記載の発明は、上記した請求項１〜３のいずれか１項に記載の発明の目的に加え、次の点を目的とする。
【０００８】
すなわち、請求項４に記載の発明は、ガイド溝とピンとの係合という比較的簡単な構造で、リッドを開方向と閉方向の両方向に開閉することができるようにしたものである。
（請求項５）
請求項５に記載の発明は、上記した請求項１〜４のいずれか１項に記載の発明の目的に加え、次の点を目的とする。
【０００９】
すなわち、請求項５に記載の発明は、ガイド溝にピンのロック部を設けることで、リッドを確実に開放することができるようにしたものである。
（請求項６）
請求項６に記載の発明は、上記した請求項１〜５のいずれか１項に記載の発明の目的に加え、次の点を目的とする。
【００１０】
すなわち、請求項６に記載の発明は、リッドが開放する途中で、ピンをストッパーに係合させることで、ガイド溝中でピンを適正な位置に移動することができるようにしたものである。
（請求項７）
請求項７に記載の発明は、上記した請求項１〜６のいずれか１項に記載の発明の目的に加え、次の点を目的とする。
【００１１】
すなわち、請求項７に記載の発明は、プッシュアームを確実に復帰させることができるようにしたものである。
（請求項８）
請求項８に記載の発明は、上記した請求項１〜７のいずれか１項に記載の発明の目的に加え、次の点を目的とする。
【００１２】
すなわち、請求項８に記載の発明は、ダンパー装置に減衰力により、ゆっくりと且つ静粛にリッドを開放させることができるようにしたものである。
これに加えて、請求項８に記載の発明は、ダンパー装置に減衰力により、ゆっくりと且つ静粛にリッドが閉じるようにすることができるようにしたものである。
【課題を解決するための手段】
【００１３】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１４】
すなわち、リッドの開閉装置は、例えば図１に示すように、次の構成を備える。
（１）ベース(30)
ベース(30)は、例えば図１に示すように、開口部(31)を有するものである。
（２）リッド(20)
リッド(20)は、例えば図１に示すように、ベース(30)に回転軸(35)を中心に回転可能に支持され、開口部(31)を開閉するものである。
【００１５】
（３）スプリング(70)
スプリング(70)は、例えば図１に示すように、１本である。
また、スプリング(70)は、例えば図２に示すように、ベース(30)とリッド(20)との間に掛け設けられている。
さらに、スプリング(70)は、リッド(20)が閉じた閉位置（例えば図２参照）を行き過ぎた押込位置（例えば図６参照）まで押し込まれることで引っ張られ、そのばね復元力により、リッド(20)を開放する方向に付勢するためのものである。
【００１６】
また、スプリング(70)は、ばね復元力により開放されたリッド(20)が所定の角度（例えば図９参照）閉じられることで再度、引っ張られ、そのばね復元力により、リッド(20)を閉じる方向に付勢するためのものである。
（請求項２）
請求項２に記載の発明は、上記した請求項１に記載の発明の特徴点に加え、次の点を特徴とする。
【００１７】
すなわち、ベース(30)とリッド(20)との間には、例えば図１に示すように、次の構成を備える。
（１）第１リンクアーム(80)
第１リンクアーム(80)は、例えば図１に示すように、支持軸(37)により一端部がベース(30)に回転可能に支持されるものである。
【００１８】
（２）第２リンクアーム(90)
第２リンクアーム(90)は、例えば図１に示すように、一端部が第１リンクアーム(80)にスライド可能に支持されている。
また、第２リンクアーム(90)は、例えば図１に示すように、他端部にピン(91)を有する。
【００１９】
さらに、第２リンクアーム(90)は、例えば図２に示すように、第１リンクアーム(80)との間に掛け設けられたスプリング(70)のばね復元力により、第１リンクアーム(80)に接近する方向に付勢されるものである。
（３）プッシュアーム(100)
プッシュアーム(100)は、例えば図１に示すように、ベース(30)に支持され、リッド(20)が押込位置（例えば図６参照）まで押し込まれることで、第２リンクアーム(90)を第１リンクアーム(80)から離れる方向に移動させ、これによりスプリング(70)を引っ張るためのものである。
【００２０】
（４）ガイド溝(24)
ガイド溝(24)は、例えば図１に示すように、リッド(20)に設けられ、ピン(91)を移動可能にガイドするとともに、リッド(20)が開放位置（例えば図８参照）から所定の角度（例えば図９参照）閉じられることで、ピン(91)を第１リンクアーム(80)から離れる方向に移動させ、これによりスプリング(70)を引っ張るためのものである。
（請求項３）
請求項３に記載の発明は、上記した請求項１又は請求項２に記載の発明の特徴点に加え、次の点を特徴とする。
【００２１】
すなわち、所定の角度は、４５度（例えば図９参照）に設定されている。
（請求項４）
請求項４に記載の発明は、上記した請求項１〜３のいずれか１項に記載の発明の特徴点に加え、次の点を特徴とする。
第一に、ガイド溝(24)は、リッド(20)の回転軸(35)と、第１リンクアーム(80)の支持軸(37)とを結ぶ線の延長線（図示せず）を境にピン(91)の移動を許容するものである。
【００２２】
第二に、ピン(91)は、延長線（図示せず）を境に、リッド(20)の自由端部から離れる奥側に移動することで、リッド(20)を開放するようにしている（例えば図６〜７参照）。
ピン(91)は、延長線（図示せず）を境に、リッド(20)の自由端部に接近する手前側に移動することで、リッド(20)を閉じるようにしている（例えば図２及び図９参照）。
（請求項５）
請求項５に記載の発明は、上記した請求項１〜４のいずれか１項に記載の発明の特徴点に加え、次の点を特徴とする。
【００２３】
第一に、ガイド溝(24)は、リッド(20)が閉じた位置（例えば図２参照）で、第１リンクアーム(80)の支持軸(37)から離れる方向に延び、例えば図５に示すように、支持軸(37)に近い始端部(25)と、支持軸(37)から遠く離れるとともに、折れ曲がったロック部(26)とを備える。
第二に、プッシュアーム(100)は、例えば図６に示すように、第２リンクアーム(90)を第１リンクアーム(80)から離れる方向に移動させることで、ピン(91)を始端部(25)からロック部(26)に向かって移動するようにしている。
（請求項６）
請求項６に記載の発明は、上記した請求項１〜５のいずれか１項に記載の発明の特徴点に加え、次の点を特徴とする。
【００２４】
すなわち、ベース(30)には、例えば図７に示すように、リッド(20)が開放する途中でピン(91)に係合し、ピン(91)をロック部(26)から始端部(25)に向かって移動するためのストッパー(38)を設けている。
（請求項７）
請求項７に記載の発明は、上記した請求項１〜６のいずれか１項に記載の発明の特徴点に加え、次の点を特徴とする。
【００２５】
第一に、プッシュアーム(100)は、例えば図１に示すように、次の構成を備える。
（１）軸止部(101)
軸止部(101)は、例えば図１に示すように、その長さの途中に位置し、ベース(30)に回転可能に支持されるものである。
（２）押圧部（例えばプッシュロッド120の押圧部123）
押圧部（例えばプッシュロッド120の押圧部123）は、例えば図１及び図２に示すように、軸止部(101)を挟んだ一端部に位置し、リッド(20)に向かって突出し、リッド(20)の自由端部により押し下げられるものである。
【００２６】
（３）押上部(102)
押上部(102)は、例えば図１及び図６に示すように、軸止部(101)を挟んだ他端部に位置し、第１リンクアーム(80)から離れる方向に第２リンクアーム(90)を押し上げるためのものである。
第二に、プッシュアーム(100)とベース(30)との間には、例えば図６に示すように、リッド(20)の自由端部により押圧部（例えばプッシュロッド120の押圧部123）が押し下げられることで、軸止部(101)を中心に回転したプッシュアーム(100)を復帰させるための復帰ばね(110)を設けている。
（請求項８）
請求項８に記載の発明は、上記した請求項１〜７のいずれか１項に記載の発明の特徴点に加え、次の点を特徴とする。
【００２７】
すなわち、ベース(30)とリッド(20)との間には、例えば図２に示すように、リッド(20)に作用する回転力を減衰するためのダンパー装置(50)を設けている。
【発明の効果】
【００２８】
本発明は、以上のように構成されているので、以下に記載されるような効果を奏する。
（請求項１）
請求項１に記載の発明によれば、次のような効果を奏する。
すなわち、請求項１に記載の発明によれば、１本のスプリングのばね力を利用して、リッドを開方向と閉方向との両方向に開閉することができる。
【００２９】
このため、請求項１に記載の発明によれば、スプリングが１本で済むので、部品点数が少なくて済むという利点がある。
また、請求項１に記載の発明によれば、リッドを閉方向にスプリングにより付勢しているので、リッドを確実に閉じることができる。
さらに、請求項１に記載の発明によれば、リッドを閉方向にスプリングにより付勢しているので、リッドが閉位置から不用意に開くのを防止することができる。
【００３０】
このため、請求項１に記載の発明によれば、リッドを閉位置にロックするためのロック機構を省略することもできる。
（請求項２）
請求項２に記載の発明によれば、上記した請求項１に記載の発明の効果に加え、次のような効果を奏する。
【００３１】
すなわち、請求項２に記載の発明によれば、比較的簡単な構造で、リッドを開方向と閉方向の両方向に開閉することができる。
（請求項３）
請求項３に記載の発明によれば、上記した請求項１又は請求項２に記載の発明の効果に加え、次のような効果を奏する。
【００３２】
すなわち、請求項３に記載の発明によれば、リッドを閉位置から４５度、閉じることで、リッドをスプリングのばね力を利用して閉じることができる。
（請求項４）
請求項４に記載の発明によれば、上記した請求項１〜３のいずれか１項に記載の発明の効果に加え、次のような効果を奏する。
【００３３】
すなわち、請求項４に記載の発明によれば、ガイド溝とピンとの係合という比較的簡単な構造で、リッドを開方向と閉方向の両方向に開閉することができる。
（請求項５）
請求項５に記載の発明によれば、上記した請求項１〜４のいずれか１項に記載の発明の効果に加え、次のような効果を奏する。
【００３４】
すなわち、請求項５に記載の発明によれば、ガイド溝にピンのロック部を設けることで、リッドを確実に開放することができる。
（請求項６）
請求項６に記載の発明によれば、上記した請求項１〜５のいずれか１項に記載の発明の効果に加え、次のような効果を奏する。
【００３５】
すなわち、請求項６に記載の発明によれば、リッドが開放する途中で、ピンをストッパーに係合させることで、ガイド溝中でピンを適正な位置に移動することができる。
（請求項７）
請求項７に記載の発明によれば、上記した請求項１〜６のいずれか１項に記載の発明の効果に加え、次のような効果を奏する。
【００３６】
すなわち、請求項７に記載の発明によれば、プッシュアームを確実に復帰させることができる。
（請求項８）
請求項８に記載の発明によれば、上記した請求項１〜７のいずれか１項に記載の発明の効果に加え、次のような効果を奏する。
【００３７】
すなわち、請求項８に記載の発明によれば、ダンパー装置に減衰力により、ゆっくりと且つ静粛にリッドを開放させることができる。
これに加えて、請求項８に記載の発明によれば、ダンパー装置に減衰力により、ゆっくりと且つ静粛にリッドが閉じるようにすることができる。
【発明を実施するための最良の形態】
【００３８】
（図面の説明）
図１〜９は、本発明の実施の形態の一例をそれぞれ示すものである。
図１は、リッドの開閉装置の分解斜視図、図２はリッドを閉じた状態を示す開閉装置の側面図、図３は図２の正面図、図４は図２の一部を断面にした平面図、図５はリッドのガイド溝の拡大図、図６は図２に対応し、閉じているリッドを押し込んだ状態を示す開閉装置の側面図、図７は図２に対応し、リッドが開く途中の状態を示す開閉装置の側面図、図８は図２に対応し、リッドの開放状態を示す開閉装置の側面図、図９は図２に対応し、開いているリッドを閉じる途中の状態を示す開閉装置の側面図をそれぞれ示すものである。
（リッド20の開閉装置10）
図中、10は、リッド20の開閉装置を示すものである。
【００３９】
上記開閉装置10は、例えば、小物入れとして使用し、図示しないが、自動車のセンターコンソールに埋設状に固定される。
なお、開閉装置10の用途は、小物入れに限定されず、灰皿や、或いはコインケース等に使用しても良い。
また、開閉装置10の取付位置も、自動車のセンターコンソールに限定されず、自動車のインスツルメントパネル、ドアの内壁、ボディの内壁、シートの背面、肘掛け、或いはフロアー等でも良い。さらに、開閉装置10の取付位置は、自動車に限定されず、電車、船舶、事務機器、或いは家具等に取り付けても良い。
【００４０】
上記開閉装置10は、図１〜４に示すように、大別すると、次のパーツを備える。
（１）ベース30
（２）リッド20
（３）ばね装置40
（４）ダンパー装置50
（５）クッション部材60
なお、開閉装置10のパーツは、上記した（１）〜（５）に限定されない。
（ベース30）
ベース30は、図１に示すように、上面に開口した開口部31を有する中空のケース状に形成されている。
【００４１】
ベース30には、図１に示すように、次の部位を有する。
なお、ベース30の部位は、次の（１）〜（５）に限定されない。
（１）フランジ32
フランジ32は、図１に示すように、開口部31の周囲から張り出すものである。
そして、フランジ32の左右両側には、図１に示すように、上下に貫通する貫通穴33〜34をそれぞれ設けている。左右の貫通穴33〜34のうち、図３に示すように、向かって左側の貫通穴33には、後述するプッシュロッド120の押圧部123が、上下方向にスライド可能に取り付けられる。また、左右の貫通穴33〜34のうち、向かって右側の貫通穴34には、後述するクッション部材60が取り付けられる。
【００４２】
（２）回転軸35
回転軸35は、左右一対設けられ、図１に示すように、ベース30の左右両側面から円筒形にそれぞれ突出している。左右の回転軸35は、図２に示すように、奥側に位置し、リッド20を開閉可能に支持するものである。
（３）揺動軸36
揺動軸36は、図１に示すように、ベース30の向かって左側の左側面から円筒形に突出している。揺動軸36は、図２に示すように、回転軸35に比較して手前側に位置し、後述するプッシュアーム100を揺動可能に支持するためのものである。
【００４３】
（４）支持軸37
支持軸37は、図１に示すように、ベース30の左側面から円筒形に突出している。支持軸37は、図２に示すように、回転軸35及び揺動軸36の下側に位置し、後述する第１リンクアーム80を回転可能に支持するためのものである。
（５）ストッパー38
ストッパー38は、図１に示すように、ベース30の左側面から平面長円形に突出している。ストッパー38は、図７に示すように、後述するが、リッド20が開放する途中でピン91に係合し、ピン91をロック部26から始端部25に向かって移動するためのものである。
（リッド20）
リッド20は、図２に示すように、ベース30の左右の回転軸35に回転可能に支持され、開口部31を開閉するものである。
【００４４】
なお、リッド20の開閉方向は、上下方向に限定されず、横方向、下向き、或いは斜め方向でも良い。
具体的には、リッド20には、図１に示すように、次の部位を有する。
なお、リッド20の部位は、次の（１）〜（４）に限定されない。
（１）ヒンジ部21〜22
ヒンジ部21〜22は、図１に示すように、リッド20の左右両側から一対延びている。
【００４５】
（２）回転穴23
回転穴23は、図１に示すように、左右のヒンジ部21〜22のほぼ中央にそれぞれ設けられ、内外に貫通する円形にそれぞれ形成されている。そして、左右の回転穴23には、図１に示すように、ベース30の左右の両側面から突出する左右の回転軸35がそれぞれ挿入され、当該回転軸35を中心にリッド20は、ベース30に対して回転可能に支持される。
【００４６】
（３）ガイド溝24
ガイド溝24は、図１に示すように、リッド20の向かって左側のヒンジ部21に設けられ、略Ｖ字形に屈曲して形成されている。そして、ガイド溝24には、図２に示すように、後述する第１リンクアーム80のピン91が挿入され、当該ピン91はガイド溝24に沿って移動する。
【００４７】
また、ガイド溝24は、リッド20が開放位置（図８参照）から所定の角度、例えば４５度（図９参照）、閉じられることで、ピン91を第１リンクアーム80から離れる方向に移動させ、これによりスプリング70を引っ張るためのものである。
すなわち、ガイド溝24は、リッド20の回転軸35と、第１リンクアーム80の支持軸37とを結ぶ線の延長線（図示せず）を境にピン91の移動を許容するものである。
【００４８】
これに対し、ピン91は、前記延長線（図示せず）を境に、リッド20の自由端部から離れる奥側に移動することで、リッド20を開放するようにしている（図６〜７参照）。
一方、ガイド溝24は、リッド20が閉じた位置（図２参照）で、第１リンクアーム80の支持軸37から離れる方向に延び、例えば図５に示すように、支持軸37に近い始端部25と、支持軸37から遠く離れるとともに、略Ｌ字形に折れ曲がったロック部26とを備える。
【００４９】
（４）セクターギア27
セクターギア27は、図１に示すように、リッド20の左側のヒンジ部21に設けられ、円周の略１／４の円弧状に形成されている。そして、セクターギア27には、図２に示すように、後述する回転ダンパー51の制動ギアが噛み合う。
（ばね装置40）
ばね装置40は、図１に示すように、１本のスプリング70を中心に構成されている。
【００５０】
上記１本のスプリング70は、図２に示すように、ベース30とリッド20との間、すなわち後述する第１リンクアーム80と第２リンクアーム90との間に掛け設けられている。
スプリング70は、リッド20が閉じた閉位置（図２参照）を行き過ぎた押込位置（図６参照）まで押し込まれることで引っ張られ、そのばね復元力により、リッド20を開放する方向に付勢するためのものである。
【００５１】
また、スプリング70は、ばね復元力により開放されたリッド20が所定の角度、例えば４５度（図９参照）、閉じられることで再度、引っ張られ、そのばね復元力により、リッド20を閉じる方向に付勢するためのものである。
具体的には、ばね装置40は、上記した１本のスプリング70のほか、大別すると、次のパーツを備える。
【００５２】
（１）第１リンクアーム80
（２）第２リンクアーム90
（３）スプリング70
（４）プッシュアーム100
（５）復帰ばね110
（６）プッシュロッド120
なお、ばね装置40のパーツは、上記した（１）〜（６）に限定されない。
（第１リンクアーム80）
第１リンクアーム80は、図１に示すように、支持軸37により一端部がベース30に回転可能に支持されるものである。
【００５３】
具体的には、第１リンクアーム80には、図１に示すように、次の部位を有する。
なお、第１リンクアーム80の部位は、次の（１）〜（２）に限定されない。
（１）支持穴81
支持穴81は、図１に示すように、第１リンクアーム80の一端部に形成され、図２に示すように、ベース30の左側面から突出した支持軸37に回転可能に支持される。
【００５４】
（２）ばね掛け部82
ばね掛け部82は、図１に示すように、支持穴81と同様に、第１リンクアーム80の一端部に形成され、スプリング70の一端部を掛け止めるためのものである。
（第２リンクアーム90）
第２リンクアーム90は、図１に示すように、一端部が第１リンクアーム80にスライド可能に支持されている。
【００５５】
すなわち、第２リンクアーム90は、図１に示すように、一端部が開口され、他端部が閉塞された中空の角筒形に形成されている。そして、第２リンクアーム90の開口一端部から、第１リンクアーム80の他端部を挿入することで、第１リンクアーム80に対して、第２リンクアーム90をスライド可能としている。
また、第２リンクアーム90は、図１に示すように、他端部にピン91を有する。ピン91は、図２に示すように、前述したように、リッド20の左側のヒンジ部21に形成されたガイド溝24内にはまり込み、ガイド溝24に沿って移動する。
【００５６】
ピン91は、前述した第１リンクアーム80の支持軸37とを結ぶ線の延長線（図示せず）を境に、リッド20の自由端部に接近する手前側に移動することで、リッド20を閉じるようにしている（図２及び図９参照）。
一方、第２リンクアーム90は、図２に示すように、第１リンクアーム80との間に掛け設けられたスプリング70のばね復元力により、第１リンクアーム80に接近する方向に付勢されるものである。
【００５７】
すなわち、第２リンクアーム90のピン91の有る他端部には、図１に示すように、第１リンクアーム80のばね掛け部82と対向させて、スプリング70の一端部を掛け止めるためのばね掛け部92を形成している。そして、図２に示すように、第１リンクアーム80のばね掛け部82と、第２リンクアーム90のばね掛け部92とに、スプリング70の両端部を掛け止めている。
【００５８】
一方、第２リンクアーム90には、図２に示すように、次の部位を有する。
なお、第２リンクアーム90の部位は、次の（１）に限定されない。
（１）ボス93
ボス93は、図２に示すように、第２リンクアーム90の長さの途中に位置し、ベース30のの左側面に対向する内側面から円柱形に突出するものである。ボス93は、図２に示すように、後述するプッシュアーム100の押上部102に当接する。
（プッシュアーム100）
プッシュアーム100は、図１に示すように、ベース30に支持され、リッド20が押込位置（図６参照）まで押し込まれることで、後述するプッシュロッド120を介して、第２リンクアーム90を第１リンクアーム80から離れる方向に移動させ、これによりスプリング70を引っ張るためのものである。
【００５９】
プッシュアーム100は、図６に示すように、第２リンクアーム90を第１リンクアーム80から離れる方向に移動させることで、ピン91を始端部25からロック部26に向かって移動するようにしている。
具体的には、プッシュアーム100には、図１に示すように、次の部位を有する。
なお、プッシュアーム100の部位は、次の（１）〜（３）に限定されない。
【００６０】
（１）軸止部101
軸止部101は、図１に示すように、プッシュアーム100の長さの途中に位置し、ベース30、すなわちその左側面から突出した揺動軸36に、回転可能に支持されるものである。
（２）押上部102
押上部102は、図１及び図６に示すように、軸止部101を挟んだ一端部に位置し、第１リンクアーム80から離れる方向に第２リンクアーム90を押し上げるためのものである。
【００６１】
（３）連結軸103
連結軸103は、図１に示すように、軸止部101を挟んだ他端部に位置し、後述するプッシュロッド120に向かって円柱形に突出するものである。連結軸103は、図１〜２に示すように、後述するプッシュロッド120と連結するためのものである。
（復帰ばね110）
復帰ばね110は、プッシュアーム100とベース30との間に位置し、図６に示すように、リッド20の自由端部により、後述するプッシュロッド120が押し下げられることで、軸止部101を中心に回転したプッシュアーム100を復帰させるためのものである。
（プッシュロッド120）
プッシュロッド120には、次の部位を有する。
【００６２】
なお、プッシュロッド120の部位は、次の（１）〜（２）に限定されない。
（１）連結穴121
連結穴121は、図１に示すように、プッシュロッド120の一端部に形成され、内外に円形に貫通する。連結穴121には、図２に示すように、プッシュアーム100の連結軸103が挿入され、当該連結軸103を中心にプッシュロッド120は、プッシュアーム100に対して回転可能に支持される。
【００６３】
（２）押圧部123
押圧部123は、図１に示すように、上記連結穴121から棒状に延びている。そして、押圧部123は、図２〜３に示すように、リッド20のフランジ32の左側の貫通穴33を通して、上方に向かって突出し、リッド20の自由端部により押し下げられるものである。
（ダンパー装置50）
ダンパー装置50は、図２に示すように、ベース30とリッド20との間に位置し、スプリング70のばね復元力により、リッド20に作用する回転力を減衰するためのものである。
【００６４】
具体的には、ダンパー装置50は、図２に示すように、前述したリッド20の左側のヒンジ部21に設けられたセクターギア27のほか、次のパーツを備える。
なお、ダンパー装置50のパーツは、セクターギア27や、次の（１）に限定されない。例えば、回転ダンパー51に代えて、シリンダー型のエアーダンパーを使用しても良い。
（１）回転ダンパー51
回転ダンパー51には、オイル封入式のものが使用され、図２に示すように、ベース30の左側面に固定され、その制動ギアがセクターギア27に噛み合っている。
（クッション部材60）
クッション部材60は、例えばゴム製で、ベース30のフランジ32の右側の貫通穴34に取り付けられ、ベース30のフランジ32の上面から上方に向かって突出する。クッション部材60は、リッド20の自由端部の内面に弾性的に当接する。
（開閉装置10の使用方法）
上記した構成を備える開閉装置10は、次のように使用する。
【００６５】
まず、閉じたリッド20を開く際には、図６に示すように、リッド20の自由端部の上面を、ベース30に向かって押し下げれば良い。
リッド20を押し下げると、図６に示すように、その下面に押されて、プッシュロッド120の押圧部123が下降する。
プッシュロッド120が下降すると、図６に示すように、その連結穴121に挿入されたプッシュロッド120の連結軸103が下降する。
【００６６】
プッシュロッド120の連結軸103の下降にともない、図６に示すように、ベース30の左側面から突出した揺動軸36を挟んで反対側に位置する押上部102が上昇する。
このため、プッシュロッド120の押上部102により、図６に示すように、第２リンクアーム90のボス93が押し上げられる。
第２リンクアーム90のボス93の上昇にともない、図６に示すように、第２リンクアーム90が第１リンクアーム80から離れる方向に移動し、これにより、スプリング70が引っ張られ、そのばね力を蓄積する。
【００６７】
このとき、第２リンクアーム90のピン91が、図６に示すように、ガイド溝24中を移動する。
すなわち、図２に示すように、ガイド溝24の支持軸37に近い始端部25に位置していたピン91が、図６に示すように、ロック部26に向かって移動し、やがてロック部26にはまり込んでロックされる。
【００６８】
その後、リッド20を押し下げる力を開放すると、リッド20は、図７〜８に示すように、スプリング70が短縮しようとするばね復元力により、開放する。
このとき、リッド20のセクターギア27とのかみ合いにより、図７〜８に示すように、回転ダンパー51の制動ギアが回転することで、回転ダンパー51の減衰力が作用し、リッド20は、ゆっくりと且つ静粛に開放する。
【００６９】
一方、リッド20の開放する途中で、第２リンクアーム90のピン91が、図７に示すように、ベース30の左側面から突出したストッパー38に当接する。
このため、ガイド溝24のロック部26にはまり込んでいるピン91が、図７に示すように、始端部25に向かって移動する。そして、リッド20の開放位置では、図８に示すように、第２リンクアーム90のピン91は、ガイド溝24の始端部25に位置する。
【００７０】
一方、開放状態のリッド20を閉じる際には、図９に示すように、リッド20を４５度、手で閉じれば良い。
このとき、リッド20の回転により、図９に示すように、ガイド溝24の位置が変位する。
このため、ガイド溝24にはまり込んでいるピン91が、ベース30の支持軸37から離れる方向に移動し、第２リンクアーム90は、図９に示すように、第１リンクアーム80から離れる方向に移動し、これにより、スプリング70が引っ張られ、そのばね力を蓄積する。
【００７１】
なお、このとき、ガイド溝24の始端部25に位置していたピン91が、図示しないが、ロック部26に向かって少し移動する。
その後、リッド20から手を離すと、リッド20は、図９に示すように、スプリング70が短縮しようとするばね復元力により、閉じる。
このとき、リッド20のセクターギア27とのかみ合いにより、図９に示すように、回転ダンパー51の制動ギアが回転することで、回転ダンパー51の減衰力が作用し、リッド20は、ゆっくりと且つ静粛に閉じる。
【００７２】
一方、リッド20が閉じた状態でも、スプリング70が若干引っ張られ、そのばね復元力により、リッド20は閉じる方向に付勢されている。
このため、車の振動等により、リッド20が不用意に開くことがない。
なお、車の振動等により、リッド20を開放する方向に力が更に作用しても、ガイド溝24の位置が変位することから、ピン91を介して第２リンクアーム90は、第１リンクアーム80から離れる方向に移動し、これにより、スプリング70が引っ張られる量が増加する。このため、仮にリッド20が少し開いても、スプリング70が短縮しようとするばね復元力により、リッド20が元通り閉じる。
【００７３】
上記した理由から、本発明を実施するための最良の形態では、リッド20を閉じた状態にロックするための機構を敢えて設けなかったが、リッド20を閉じた状態にロックするための機構を設けても良い。リッド20を閉じた状態にロックするための機構を設けた場合には、悪路等の走行時のリッド20のバタ付きを防止することができる。
【図面の簡単な説明】
【００７４】
【図１】リッドの開閉装置の分解斜視図である。
【図２】リッドを閉じた状態を示す開閉装置の側面図である。
【図３】図２の正面図である。
【図４】図２の一部を断面にした平面図である。
【図５】リッドのガイド溝の拡大図である。
【図６】図２に対応し、閉じているリッドを押し込んだ状態を示す開閉装置の側面図である。
【図７】図２に対応し、リッドが開く途中の状態を示す開閉装置の側面図である。
【図８】図２に対応し、リッドの開放状態を示す開閉装置の側面図である。
【図９】図２に対応し、開いているリッドを閉じる途中の状態を示す開閉装置の側面図である。
【符号の説明】
【００７５】
10  開閉装置            20  リッド
21〜22  ヒンジ部        23  回転穴
24  ガイド溝            25  始端部
26  ロック部            27  セクターギア
30  ベース              31  開口部
32  フランジ            33〜34  貫通穴
35  回転軸              36    揺動軸
37    支持軸            38    ストッパー
40  ばね装置            50  ダンパー装置
51  回転ダンパー        60  クッション部材
70  スプリング          80  第１リンクアーム
81  支持穴              82  ばね掛け部
90  第２リンクアーム    91  ピン
92  ばね掛け部          93  ボス
100  プッシュアーム     101  軸止部
102  押上部             103  連結軸
110  復帰ばね           120  プッシュロッド
121〜22  連結穴         123  押圧部
【図１】
2005178593.tif 000003
【図２】
2005178593.tif 000004
【図３】
2005178593.tif 000005
【図４】
2005178593.tif 000006
【図５】
2005178593.tif 000007
【図６】
2005178593.tif 000008
【図７】
2005178593.tif 000009
【図８】
2005178593.tif 000010
【図９】
2005178593.tif 000011